(57)【要約】      （修正有）【課題】拡張させた足場板に相応して、手摺り部材を広い包囲範囲を形成するように配置できるエレベータ昇降路内機器の点検台装置の提供。【解決手段】不使用時には、昇降路壁面に沿うように折り畳まれて昇降路内を昇降する昇降体とは干渉しない位置に収納され、昇降路内機器の点検時には、引き出されて点検に際しての足場となる足場板３を有するエレベータ昇降路内機器の点検台装置において、エレベータ昇降路内機器の点検に際して足場板３を拡張可能に形成するとともに、拡張前の足場板３部分から立設される支柱２ａ，２ｂと、これらの支柱２ａ，２ｂ内に格納され、足場板３の拡張時には上方へ引き上げられた後、足場板３の拡張方向へ傾倒させることで、その下端部の球状部等が支柱２ａ，２ｂの上端部に支持され、足場板３の拡張方向へ延設可能な左右一対の手摺り部材６ａ、６ｂを設けた構成にしてある。【選択図】図６
2011037604.tif 000002
【特許請求の範囲】
【請求項１】
不使用時には、昇降路壁面に沿うように折り畳まれて昇降路内を昇降する昇降体とは干渉しない位置に収納され、昇降路内機器の点検時には、引き出されて点検に際しての足場となる足場板を有するエレベータ昇降路内機器の点検台装置において、
前記昇降路内機器の点検に際して前記足場板を拡張可能に形成するとともに、
前記拡張前の前記足場板部分から立設される支柱と、この支柱内に格納され、前記足場板の拡張時には上方へ引き上げられた後、前記足場板の拡張方向へ傾倒させることで、その下端部が前記支柱の上端部に支持され、前記足場板の拡張方向へ延設可能な手摺り部材を設けたことを特徴とするエレベータ昇降路内機器の点検台装置。
【請求項２】
請求項１に記載のエレベータ昇降路内機器の点検台装置において、
前記支柱を、前記足場板の拡張方向に直交する方向に沿って一対設け、
前記手摺り部材は、前記支柱に格納される一対の縦材と、これら一対の縦材の上端部を連結する横材とを有することを特徴とするエレベータ昇降路内機器の点検台装置。
【請求項３】
請求項２に記載のエレベータ昇降路内機器の点検台装置において、
前記一対の支柱を、前記足場板の拡張方向に沿って互いに対向するように２組設けたことを特徴とするエレベータ昇降路内機器の点検台装置。
【請求項４】
請求項１〜３のいずれか１項に記載のエレベータ昇降路内機器の点検台装置において、
前記支柱の上端部及び前記手摺り部材の下端部を、前記手摺り部材を前記足場板の拡張方向へ傾倒させた際、この手摺り部材を前記足場板と略平行に支持可能な形状に形成したことを特徴とするエレベータ昇降路内機器の点検台装置。
【発明の詳細な説明】
【技術分野】
【０００１】
本発明は、不使用時には折り畳まれ、昇降路内機器の点検時に引き出される足場板を有するエレベータ昇降路内機器の点検台装置に関する。
【背景技術】
【０００２】
エレベータ昇降路内機器の点検台装置は、エレベータ昇降路底部のピット、または乗かご上から手の届かない位置にある機器を点検する場合に、点検作業者の足場を確保するために必要とされている。
【０００３】
この種の従来技術として例えば、特許文献１に、点検対象となるエレベータ昇降路内機器の付近に取付体を設置し、この取付体に対して常時は引退位置に配置され要時は伸展位置に保持される支持体を枢着し、この支持体に水平に保持される足場板を設けることで、保守点検作業時に点検作業者の足場を確保する技術が開示されている。
【０００４】
また、特許文献２には、エレベータの乗かご上に設けられる手摺り装置として、縮小位置と拡張位置との間で変位可能な延長手摺りが手摺り装置本体に接続され、延長手摺りを縮小位置から拡張位置に変位させることにより、手摺り装置本体、及び延長手摺りによって囲まれる包囲範囲が拡張される技術が開時されている。
【先行技術文献】
【特許文献】
【０００５】
【特許文献１】特開２００２−０４６９５１号公報
【特許文献２】ＷＯ２００３／０７４４１０号公報
【発明の概要】
【発明が解決しようとする課題】
【０００６】
上述のように特許文献１に示される従来技術は、常時は引退位置に配置され、要時は伸展位置に保持される支持体を取付体に枢着し、支持体に水平に保持される足場板を設けることで、保守点検作業時に点検作業者の足場を確保できるようにしているが、伸展した足場に対して手摺りが伸展する構成とはなっていないために、点検作業者に対する安全が十分とは言えない問題がある。
【０００７】
また、特許文献２に示される従来技術は、縮小位置と拡張位置との間で変位可能な延長手摺りが手摺り装置本体に接続され、延長手摺りを縮小位置から拡張位置に変位させることにより、手摺り装置本体及び延長手摺りによって囲まれる包囲範囲が拡張されるようにしてあるが、延長手摺りの縮小から拡張への変位が小さく包囲範囲が狭い問題がある。なお、延長手摺りの折り畳み構造は複雑であり、このために作業性が悪くなりやすく、また、製作費が高くなる問題もある。
【０００８】
本発明は、前述した従来技術における実状からなされたもので、その目的は、拡張させた足場板に相応して、手摺り部材を広い包囲範囲を形成するように配置できるエレベータ昇降路内機器の点検台装置を提供することにある。
【課題を解決するための手段】
【０００９】
前記目的を達成するために、本発明に係るエレベータ昇降路内機器の点検台装置は、不使用時には、昇降路壁面に沿うように折り畳まれて昇降路内を昇降する昇降体とは干渉しない位置に収納され、昇降路内機器の点検時には、引き出されて点検に際しての足場となる足場板を有するエレベータ昇降路内機器の点検台装置において、前記昇降路内機器の点検に際して前記足場板を拡張可能に形成するとともに、前記拡張前の前記足場板部分から立設される支柱と、この支柱内に格納され、前記足場板の拡張時には上方へ引き上げられた後、前記足場板の拡張方向へ傾倒させることで、その下端部が前記支柱の上端部に支持され、前記足場板の拡張方向へ延設可能な手摺り部材を設けたことを特徴としている。
【００１０】
このように構成した本発明は、昇降路内機器の点検に際して、足場板を収納時よりも拡張させ、手摺り部材を足場位置の拡張方向に傾倒、延設させることにより、拡張させた足場板に相応して手摺り部材を広い包囲範囲を形成するように配置できる。
【００１１】
また、本発明に係るエレベータ昇降路内機器の点検台装置は、前記発明において、前記支柱を、前記足場板の拡張方向に直交する方向に沿って一対設け、前記手摺り部材は、前記支柱に格納される一対の縦材と、これら一対の縦材の上端部を連結する横材とを有することを特徴としている。
【００１２】
また、本発明に係るエレベータ昇降路内機器の点検台装置は、前記発明において、前記一対の支柱を、前記足場板の拡張方向に沿って互いに対向するように２組設けたことを特徴としている。
【００１３】
また、本発明に係るエレベータ昇降路内機器の点検台装置は、前記発明において、前記支柱の上端部及び前記手摺り部材の下端部を、前記手摺り部材を前記足場板の拡張方向へ傾倒させた際、この手摺り部材を前記足場板と略平行に支持可能な形状に形成したことを特徴としている。
【発明の効果】
【００１４】
本発明は、昇降路内機器の点検に際して足場板を拡張可能に形成するとともに、拡張前の足場板部分から立設される支柱と、この支柱内に格納され、足場板の拡張時には上方へ引き上げられた後、足場板の拡張方向へ傾倒させることで、その下端部が支柱の上端部に支持され、足場板の拡張方向へ延設可能な手摺り部材を設けたことから、昇降路内機器の点検に際して、足場板を収納時よりも拡張させ、手摺り部材を足場位置の拡張方向に傾倒、延設させることにより、拡張させた足場板に相応して手摺り部材を広い包囲範囲を形成するように配置できる。これによって、点検作業者による保守点検作業の安全性を従来に比べて向上させることができる。また、保守点検作業が容易になり、この保守点検作業の作業性を従来に比べて向上させることができる。
【図面の簡単な説明】
【００１５】
【図１】本発明に係るエレベータ昇降路内機器の点検台装置の一実施形態が、昇降路壁面に沿って収納された状態を示す正面図である。
【図２】本実施形態が図１に示す収納状態から引き出された状態を示す斜視図である。
【図３】図２の要部である支柱部分を拡大して示す斜視図である。
【図４】図２に示す状態から、本実施形態に備えられる足場板を拡張させ、支柱から手摺り部材が上方へ引き出された状態を示す斜視図である。
【図５】図４の要部である支柱部分を拡大して示す斜視図である。
【図６】図４に示す状態から、本実施形態に備えられる手摺り部材を足場板の拡張方向へ傾倒、延設させた状態を示す斜視図である。
【図７】図６の要部である支柱部分を拡大して示す斜視図である。
【発明を実施するための形態】
【００１６】
以下、本発明に係るエレベータ昇降路内機器の点検台装置の実施の形態を図に基づいて説明する。
【００１７】
本実施形態に係るエレベータ昇降路内機器の点検台装置は、不使用時、すなわちエレベータの通常運転時には図１に示すように、図示しない昇降路壁面に沿って折り畳まれ、昇降路内を昇降する図示しない乗かごや釣り合いおもり等の昇降体と干渉しない位置に収納され、図示しない昇降路内機器の点検時には、図２〜７に示すように引き出され、点検作業者は足場板の上に乗って該当するエレベータ昇降路内機器の点検を行うようになっている。
【００１８】
本実施形態に係るエレベータ昇降路内機器の点検台装置は、図２等に示すように、図示しない昇降路壁面に沿って鉛直方向に一対延設され、昇降路壁面に固定される断面Ｌ字状の長尺部材１と、この長尺部材１に設けられる回動支点３ａを介して、長尺部材１に回動自在に取り付けられる足場板３とを備えている。この足場板３は、図４，５に示すように、長尺部材１の延設方向と直交する水平方向にスライド可能な拡張足場板３ｂを有し、収納時の大きさに比べて拡張可能になっている。
【００１９】
また、図２等に示すように、足場板３の取付位置よりも下方に位置する長尺部材１の切欠き部１ａに一端側４ａが係合するとともに、他端側４ｂが足場板３に回転可能に連結され、足場板３を略水平状態に支持可能な支持体４を備えている。なお、図２に示すように、長尺部材１の切欠き部１ａの下方に別の切欠き部１ｂを形成してある。当該点検台装置の不使用時には、図１に示すように支持体４の一端側４ａがこの別の切欠き部１ｂに係止されるようになっている。
【００２０】
また、同図２等に示すように、拡張前の足場板３から立設可能なそれぞれ角筒状の一対の支柱２ａ、及び別の一対の支柱２ｂを備えている。これらの一対の支柱２ａ、及び別の一対の支柱２ｂのそれぞれは、図４等に示す足場板３の拡張方向と直交する方向に沿って配置してある。また、これらの２組の一対の支柱２ａ，２ｂは、足場板３の拡張方向に対して互いに対向するように配置してある。
【００２１】
また、図４等に示すように、一対の支柱２ａに収納される手摺り部材６、及び別の一対の支柱２ｂに収納される手摺り部材６を備えている。一対の支柱２ａに収納される手摺り部材６は、一対の支柱２ａのそれぞれに格納される一対の縦材６ａと、これらの縦材６ａの上端部を連結する横材６１ａとを有し、略コの字状に形成してある。一対の縦材６ａの下端部のそれぞれには、支柱２ａ内の縦材６ａの昇降と一体に昇降可能な球状部６２ａを設けてある。同様に、別の一対の支柱２ｂに収納される手摺り部材６は、一対の支柱２ｂのそれぞれに格納される一対の縦材６ｂと、これらの縦材６ｂの上端部を連結する横材６１ｂとを有し、略コの字状に形成してある。一対の縦材６ｂの下端部のそれぞれには、図示しないが上述の球状部６２ａと同等の球状部を設けてある。
【００２２】
図５，７等に示すように、一対の支柱２ａの上端部のそれぞれには、開口部６４と、この開口部６４の三方を囲むように形成され、球状部６２ａの上方への飛び出しを阻止する張り出し部６４ａと、開口部６４に連設されて上下方向に形成され、傾倒させた手摺り部材６の縦材６ａを係止可能な切欠き部６４ｂとを設けてある。図示しないが、一対の支柱２ｂの上端部のそれぞれにも、開口部６４と同様の開口部、張り出し部６４ａと同様の張り出し部、及び切欠き部６４ｂと同様の切欠き部を設けてある。
【００２３】
一対の支柱２ａと別の一対の支柱２ａとは、正面部横材６３によって連結されている。例えば正面部横材６３の一端は回動支点６３ｂを介して支柱２ｂの上端部に連結され、他端は支柱２ａに係合可能な係合部６３ａとなっている。この正面部横材６３の係合部６３ａを支柱２ａから外し、図２の右側に位置する手摺り部材６を左方向に倒し、同図２の左側に位置する手摺り部材６を右方向に倒し、正面部横材６３は図２の反時計回りに回動させることにより、これらの左右一対の支柱２ａ，２ｂ及び正面部横材６３を足場板３上に折り畳むことができる。
【００２４】
なお、図６に示すように、エレベータ昇降路内機器の点検に際して拡張足場板３ｂをスライドさせて足場板３を拡張させたときには、一対の手摺り部材６のそれぞれも、足場板３の拡張方向に沿って延設され、これらの手摺り部材６による包囲範囲が拡張させた足場板３の略全体となるように設定されている。
【００２５】
このように構成した本実施形態にあって、エレベータ昇降路内機器の点検に際しては、図１に示すように収納されていた足場板３等が図２に示すように引き出され、一対の支柱２ａ及び別の一対の支柱２ｂが起こされ、支柱２ｂに連結されている正面部横材２３の係合部６３ａを支柱２ａの上端部に係合させることが行なわれる。また、支持体４の一端側４ａが長尺部材１の切欠き部１ａに係合される。これにより、足場板３は略水平状態に保持される。
【００２６】
次に、例えば図４に示すように拡張足場板３ｂが横方向、すなわち拡張方向に引き出される。これにより足場板３ａは拡張した状態となる。次に、一対の手摺り部材６が図４，５に示すように、これらの手摺り部材６の縦材６ａ，６ｂの下端部に設けた球状部６２ａが、支柱２ａ等の張り出し部６４ａ等に係止されるまで引き上げられ、引き続き図６，７に示すように傾倒され、足場板３の拡張方向に延設されるように配置される。
【００２７】
このようにして左右一対の手摺り部材６と、拡張足場板３ｂを含む足場板３とが略水平状態に保持される。したがって、点検作業者は手摺り部材６に囲まれた領域内において、拡張足場板３ｂを含む足場板３上に乗って該当するエレベータ昇降路内機器の点検を安全に行なうことができる。
【００２８】
エレベータ昇降路内機器の点検が終了した際には、上述と逆の手順によって、一対の手摺り部材６のそれぞれを支柱２ａ，２ｂ内に格納し、拡張足場板３ｂを収縮させ、正面部横材６３の係合部６３ａと支柱２ａとの係合を解き、この正面部横材６３、支柱２ａ，２ｂを折り畳み、支持体４の一端側４ａと切欠き部１ａとの係合を解くことにより、図１に示すように図示しない昇降路壁面に沿って収納される。このとき、支持体４の一端側４ａを長尺部材１の切欠き部１ｂに係合させることが行なわれる。この状態において、エレベータが稼動される。すなわち、図示しない乗かご及び釣り合いおもり等の昇降体の通常の昇降動作が行なわれる。これらの昇降体の昇降動作に際して、本実施形態に係るエレベータ昇降路内機器の点検台装置は、何ら干渉を生じることなく保持される。
【００２９】
本実施形態によれば、上述したようにエレベータ昇降路内機器の点検に際して、足場板３を収納時よりも拡張させ、左右一対の手摺り部材６を足場板３の拡張方向に傾倒、延設させることにより、拡張させた足場板３に相応して広い包囲範囲を形成するように左右一対の手摺り部材６を配置することができる。これによって、エレベータ昇降路内機器の保守点検作業の安全性を向上させることができる。また、保守点検作業が容易となり、この保守点検作業の作業性を向上させることができる。
【００３０】
また、左右一対の手摺り部材６を足場板３の拡張方向に延設する構造は、支柱２ａ，２ｂの上端部に設けた開口部６４等、張り出し部６４ａ等、及び切欠き部６４ｂ等と、左右一対の手摺り部材６の縦板６ａ，６ｂの下端部に設けた球状部６２ａ等とを含む簡単な構造であり、左右一対の手摺り部材６を引き上げてからの足場板３の拡張方向への傾倒動作、あるいは逆に上方に回動させてからの支柱２ａ，２ｂへの格納動作を、いわゆるワンタッチの連続動作で容易に行なうことができる。これにより、点検作業性を向上させることができるとともに、製作費を安く抑えることができる。
【符号の説明】
【００３１】
１    長尺部材
１ａ  切欠き部
１ｂ  切欠き部
２ａ  支柱
２ｂ  支柱
３    足場板
３ａ  回動支点
３ｂ  拡張足場板
４    支持体
４ａ  一端側
４ｂ  他端側
６    手摺り部材
６ａ  縦材
６ｂ  縦材
６１ａ  横材
６１ｂ  横材
６２ａ  球状部
６３    正面部横材
６３ａ  係合部
６３ｂ  回動支点
６４    開口部
６４ａ  張り出し部
６４ｂ  切欠き部
【図１】
2011037604.tif 000003
【図２】
2011037604.tif 000004
【図３】
2011037604.tif 000005
【図４】
2011037604.tif 000006
【図５】
2011037604.tif 000007
【図６】
2011037604.tif 000008
【図７】
2011037604.tif 000009